(57)【要約】      （修正有）【課題】商品を台紙に固定している結束タイを容易に商品から取り外すことができるとともに、商品にダメージを与えることのないパッケージを提供すること。【解決手段】パッケージを外箱１と、商品を載置する中台紙２とで構成し、中台紙２には一端側から他端側に少なくとも1つのミシン目を形成し、中台紙２をミシン目から分割できるようにするとともに、中台紙２には商品を固定する結束タイを通す孔部１７をミシン目上に所定間隔をおいて２つ形成した。【選択図】図２
0003118253.tif 000002
【実用新案登録請求の範囲】
【請求項１】
以下の要件を備えることを特徴とするパッケージ。
（イ）上記パッケージは外箱と、商品を載置する中台紙とを備えること
（ロ）上記中台紙には一端側から他端側に少なくとも1つのミシン目が形成され、上記中台紙はミシン目から分割できるようになっていること
（ハ）上記中台紙には商品を固定する結束タイを通す孔部が所定間隔をおいて２つ形成され、該孔部は上記ミシン目上に形成されていること
【請求項２】
前記外箱から前記中台紙を引き抜く開口部には蓋片を設け、該蓋片と外箱本体との連結部にはミシン目を形成し、上記蓋片と外箱本体とはミシン目から分離できるようになっている、請求項１記載のパッケージ。
【考案の詳細な説明】
【技術分野】
【０００１】
本考案は、パッケージ、詳しくは収容した商品を取り出しやすいパッケージに関するものである。
【背景技術】
【０００２】
従来、パッケージの中に収容した商品を固定する方法として台紙に２つの孔部を形成し、この孔部に針金などの結束タイを通して商品を固定する方法が一般的であった（例えば、特許文献１、図７参照）。
【特許文献１】特開平６−２７８８８号公報
【考案の開示】
【考案が解決しようとする課題】
【０００３】
本考案が解決しようとする問題点は、上述の方法で固定された商品を台紙から外す時は、台紙の裏側で捻られている結束タイを解いて、台紙に形成された孔部から結束タイを引き抜く必要があったが、結束タイには捻ったときの捻りの形状が残っているため、その捻りを元に戻さないと簡単に引き抜くことができないし、無理やり引き抜くと商品を損傷させる恐れがある点であった。
【０００４】
本考案は、上記問題点を解決し、商品を台紙に固定している結束タイを容易に商品から取り外すことができるとともに、商品にダメージを与えることのないパッケージを提供することを課題とする。
【課題を解決するための手段】
【０００５】
前記課題を解決するために本考案に係るパッケージは、以下の要件を備えることを特徴とする。
（イ）上記パッケージは外箱と、商品を載置する中台紙とを備えること
（ロ）上記中台紙には一端側から他端側に少なくとも1つのミシン目が形成され、上記中台紙はミシン目から分割できるようになっていること
（ハ）上記中台紙には商品を固定する結束タイを通す孔部が所定間隔をおいて２つ形成され、該孔部は上記ミシン目上に形成されていること
なお、前記外箱から前記中台紙を引き抜く開口部には蓋を開閉可能に設け、該蓋と外箱との連結部にはミシン目を形成し、上記蓋はミシン目から分離できるようになっていることが好ましい。
【考案の効果】
【０００６】
請求項１の考案によれば、中台紙から商品を取り出す際、中台紙をミシン目から分割することにより結束タイが剥きだしになり、結束タイの取り外しが容易になるとともに、結束タイの取り外し時に商品を損傷するようなトラブルを回避することができるパッケージを実現することができる。
【０００７】
請求項２の考案によれば、ミシン目から蓋を外箱本体から切り離せば外箱から中台紙を容易に取り出すことができるパッケージを提供することができる。
【考案を実施するための最良の形態】
【０００８】
図１は本考案に係るパッケージＡの一例を示し、このパッケージＡは、図２（ａ）に示すように、外箱１と、商品を載置する中台紙２とから構成されている。
【０００９】
外箱１は中空で長手方向の端部は開口し、その開口部３は開閉可能な蓋片４で遮蔽され、上面から両側面にかけて形成された窓部５は透明な樹脂のカバー（例えば、ポリエチレンテレフタレート）が内側から接着されて、中台紙２上に載置された商品が窓部５から目視できるようになっている。
【００１０】
そして、上記開口部３は両側のフラップ６、６を内方に折り曲げ、蓋片４をその上に重ねるように折り、蓋片４の先の差し込み片７を外箱１内に差し込むことにより、開口部３を塞ぐことができるようになっている。
【００１１】
上記蓋片４の両側部は指を掛けられるように円弧状の切欠き部８、８が形成され、外箱１と蓋片４との連結部にはミシン目１０が形成されている。このミシン目１０は蓋片４で開口部３を閉じた状態で、切欠き部８に指を掛けて強く引いた時にミシン目１０に沿って切断することができるようにするためのものである。
【００１２】
このミシン目１０は、一般的には蓋片４で開口部３を閉じた状態では蓋片４と外箱１の裏面とに接着テープやシールなどの固定部材１１を貼り渡して、簡単に蓋片４が開かないようにしているので、蓋片４を開けて開口部３を開放するためには、固定部材１１を取り除かなければならないが、ミシン目１０から蓋片４を切断することによって開口部３を開放することができるようになっている。
【００１３】
一方、中台紙２は上面が前面開口した箱状に形成され、図３の展開図に示すように、底板１２の両側には側板１３（１３ａ、１３ｂ）が、前後には側板１４（１４ａ、１４ｂ）がそれぞれ折罫線ａ１、ａ２を介して連設され、側板１４ａ、１４ｂの両側には折罫線ａ３を介して糊付け片１５ａ、１５ｂがそれぞれ連設されている。
【００１４】
そして、底板１２と側板１３とには一方の側板１３ａの端部から底板１２を経由して他方の側板１３ｂの端部まで連続してミシン目１６（１６ａ、１６ｂ、１６ｃ）が形成されている。
【００１５】
なお、上記底板１２のミシン目１６（１６ａ〜１６ｃ）上には所定間隔をおいて孔部１７が形成されている。この孔部１７は針金などの結束タイ２０を挿通するための孔で、中台紙２に載置した商品が底板１２上から動かないように商品上に掛け渡された結束タイ２０の両端を孔部１７からそれぞれ底板１２の裏側に突出させ、突出させた結束タイ２０を底板１２の裏側で捻り締めることにより、商品を底板１２上に固定するためのもので、この孔部１７を利用して結束タイ２０で商品を中台紙上に固定する方法は公知のものである。
【００１６】
そして、側板１４ａには円弧状の切欠き部１９が形成されている。この切欠き部１９は指を掛けるために形成したもので、中台紙２を外箱１から引き出す際に指を掛けて引き出しやすくするためのものである。
【００１７】
上述の中台紙２は底板１２に対し、折罫線ａ１に沿って側板１３ａ、１３ｂを正折りし、次に折罫線ａ２に沿って側板１４ａ、１４ｂを正折りした後、折罫線ａ３に沿って糊付け片１５を正折りし、正折りした糊付け片１５を側板１３の外側面に糊付けすれば、図２（ｂ）に示すような、中台紙２を形成することができる。
【００１８】
上述のようにして形成された中台紙２に商品を固定する場合は、図４（ａ）に示すように、中台紙２の上に商品（例えば、人形玩具）２１を載せ、結束タイ２０ａを人形２１の首、結束タイ２０ｂを胴、結束タイ２０ｃを脚の上から底板１２に形成された孔部１７にそれぞれ挿通し、底板１２の裏側で捻って人形２１を底板１２上に固定すればよい（図４（ｂ）参照）。
【００１９】
人形２１が固定された中台紙２は、外箱１内に収容した後に、フラップ６、６を内方に折り曲げ、蓋片４をその上に重ねるように折り、蓋片４の先の差し込み片７を外箱１内に差し込んで開口部３を塞ぎ、固定部材１１を貼って、簡単に蓋片４が開かないようにすれば、商品を収容したパッケージＡを構成することができる（図５（ａ）参照）。
【００２０】
上記パッケージＡから商品を取り出すときは、図５（ｂ）に示すように、ミシン目１０から蓋片４を切り離し、フラップ６を外側に開いて、中台紙２の１４ａを露出させる。この側板１４ａには切欠き部１９が形成されているので、この切欠き部１９に指を掛けて中台紙２を、図５（ｃ）に示すように、引き出せばよい。
【００２１】
完全に引き出した中台紙２上には商品である人形２１が結束タイ２０で固定されている状態にあるので（図６（ａ）参照）、この中台紙２から人形２１を取り外すに当たっては、結束タイ２０を取り除かなければならない。
【００２２】
この結束タイ２０を取り除くためには、先ず、ミシン目１６ａから第１の中台紙２ａと第２の中台紙２ｂとを切り離す（図６（ｂ）参照）。第１の中台紙２ａを切り離した状態では、結束タイ２０ａはむき出しになっているので、捻りを戻せば人形２１から容易に結束タイ２０ａを取り外すことができる。
【００２３】
次に、ミシン目１６ｂから第２の中台紙２ｂと第３の中台紙２ｃとを切り離す（図６（ｃ）参照）。第２の中台紙２ｂを切り離した状態では、結束タイ２０ｂはむき出しになっているので、捻りを戻せば人形２１から容易に結束タイ２０ｂを取り外すことができる。
【００２４】
引き続いて、ミシン目１６ｃから第３の中台紙２ｃと第４の中台紙２ｄとを切り離す（図６（ｄ）参照）。第３の中台紙２ｃと第４の中台紙２ｄとを切り離した状態では、結束タイ２０ｃはむき出しになっているので、捻りを戻せば人形２１から容易に結束タイ２０ｃを取り外すことができ、人形２１に傷をつけることなくすべての結束タイ２０を取り去ることができる。
【００２５】
上述のように、蓋片４をミシン目１０から切り離すことにより、接着テープやシールなどの固定部材１１を剥がすことなく、外箱１から中台紙２を引き出すことができ、完全に外箱１から引き出した中台紙２はミシン目１６に沿って、分割するように切り離すことにより、ミシン目１６上に形成された孔部１７に挿通させた結束タイ２０がむき出しになるので、捻りを解くことにより結束タイ２０に捻り痕があっても商品である人形２１から容易に取り外すことはでき、商品にダメージを与えることなく取り除くことができる。
【図面の簡単な説明】
【００２６】
【図１】本考案に係るパッケージの一例を説明する斜視図
【図２】（ａ）（ｂ）は上記パッケージを構成する外箱、及び中台紙の斜視図
【図３】上記中台紙を説明する展開図
【図４】（ａ）（ｂ）は中台紙に商品を固定する状態を説明する斜視図
【図５】（ａ）〜（ｃ）は商品を収容した状態のパッケージ、及び外箱から中台紙を取り出す説明図
【図６】（ａ）〜（ｄ）は商品を中台紙に留めている結束タイを外す過程を説明する斜視図
【符号の説明】
【００２７】
１    外箱
２    中台紙
３    開口部
４    蓋片
１０    ミシン目
１６    ミシン目
１７    孔部
２０    結束タイ
２１    商品
【図１】
0003118253.tif 000003
【図２】
0003118253.tif 000004
【図３】
0003118253.tif 000005
【図４】
0003118253.tif 000006
【図５】
0003118253.tif 000007
【図６】
0003118253.tif 000008